(57)【要約】  本体部１に保持した操作ボタン８の回動支点となる軸受け側軸部８３と、本体部１に保持した操作ボタン８の可動方向と異なる方向に形成されて操作ボタン８を本体部１に組みつけるときに軸受け側軸部８３が摺動する溝を有し、軸受け側軸部８３が保持位置１５ａまで摺動すると、操作ボタン８の回転支点として当該軸受け側軸部８３を保持する軸受け溝部１５とを備えた。
2012164623.tif 000002
【特許請求の範囲】
【請求項１】
ホルダに回動自在に保持された操作ボタンと、押圧操作により回動した前記操作ボタンが定位置に戻るように付勢するバネとを備えたボタン保持構造において、
前記ホルダに保持した前記操作ボタンの回動支点となる軸部と、
前記ホルダに保持した前記操作ボタンの可動方向と異なる方向に形成されて前記操作ボタンを前記ホルダに組み付けるときに前記軸部が摺動する溝を有し、前記軸部が保持位置まで摺動すると、前記操作ボタンの回転支点として当該軸部を保持する軸受け溝部と
を備えたことを特徴とするボタン保持構造。
【請求項２】
前記軸部が前記保持位置まで摺動すると、前記バネの端部と係合して前記軸部が前記保持位置から離れる方向へ摺動することを規制するリブを備えた
ことを特徴とする請求項１記載のボタン保持構造。
【請求項３】
前記軸受け溝部は、前記保持位置へ至るまでの溝が屈曲している
ことを特徴とする請求項１記載のボタン保持構造。
【発明の詳細な説明】
【技術分野】
【０００１】
この発明は、ホルダに回動自在に保持された操作ボタンと、押圧操作により回動した操作ボタンが定位置に戻るように付勢するバネとを備えたボタン保持構造に関するものである。
【背景技術】
【０００２】
ＲＳＥ（リアシートエンターテイメント）等のように車内の天井面に設置されるモニタ装置には、装置を操作するためのリモコン（リモートコントロール）が備えられている。
ここで、ＲＳＥ等のモニタ装置では、リモコンがモニタ装置の操作パネルそのものを兼ねる場合があり、リモコンを紛失した場合にはモニタ装置を操作できなくなってしまう。そのため、このようなモニタ装置では、リモコンを本体部（ホルダ）に組み付けて、使用時にはリモコンを本体部から露出させ、不使用時にはリモコンを本体部に収納するリモコン保持機構が採用されている。【０００３】
このリモコン保持機構では、本体部に、リモコンを収納する収納凹部を有している。この収納凹部の一端側には、リモコンの一端側が回動自在に連結されている。また、収納凹部の他端側には、リモコンの他端側を係止するように収納凹部の側壁から突没する係止突起部を有する可動部が設けられている。この可動部は、本体部に組み付けられた操作ボタンと連結されている。
操作ボタンの表面には、使用者がリモコンを使用する際に押圧する操作面が設けられている。また、操作ボタンの裏面（本体部側）の一端側（収納凹部側とは反対側）の両端には、回動軸部が設けられている。この回動軸部には、本体部の軸受け部に設けられた軸受け穴に嵌め込まれて保持される軸受け側軸部が設けられている。また、回動軸部の端部には、可動部と連結し、操作面の押圧によって可動部をリモコン係止を解除する方向にスライドさせる押圧部が設けられている。また、操作ボタンには、押圧操作により回動した操作ボタンが定位置に戻るように付勢するバネが取り付けられている。【０００４】
このように構成されたリモコン保持機構において、リモコンを使用する際には、使用者は操作面を押圧する。これにより、操作ボタンが軸受け側軸部を支点に本体部側に回動する。そして、操作ボタンの回動に伴って押圧部も回動し、可動部をリモコン係止を解除する方向にスライドさせる。これにより、係止突起部が収納凹部の側壁に没入されてリモコンの係止が解除され、リモコンが一端側を支点に開方向に回動して本体部から露出する。
なお、操作ボタンに対する押圧操作が解除された場合には、バネによって操作ボタンが定位置に戻るように付勢されて回動する。この操作ボタンの回動に伴って押圧部も回動し、係止突起部が収納凹部の側壁から突出される。【０００５】
また、ホルダに回動自在に保持された操作ボタンと、押圧操作により回動した操作ボタンが定位置に戻るように付勢するバネとを備えたボタン保持構造の別の例としては、特許文献１に開示されるような構造が存在する。この構造では、ダブルトーションバネを使用してユニット台（本体部に相当）に固定された傾動アーム（操作ボタンに相当）を付勢している。
【先行技術文献】
【特許文献】
【０００６】
【特許文献１】特開２０１０−４５８８２号公報
【発明の概要】
【発明が解決しようとする課題】
【０００７】
しかしながら、操作ボタンに設けられた一方の軸受け側軸部の先端から他方の軸受け側軸部の先端までの寸法は、本体部に設けられた一方の軸受け部の外側面から他方の軸受け部の外壁面までの寸法より狭い。そのため、操作ボタンを本体部に組み付ける際には、軸受け側軸部が軸受け部を乗り越えることができるように、操作面または軸受け部を撓ませた状態で操作ボタンを軸受け部側にスライドさせて軸受け側軸部を軸受け穴に係合させる必要がある。そのため、組み付けに必要な撓み量を得るため、撓ませる部分（操作面または軸受け部）に相当の長さが必要になり、スペースの確保が困難であるという課題があった。また、撓ませる部分に相当の長さを確保できない場合には、撓み量が少なくなるため、その分、軸受け側軸部と軸受け穴との掛かり量を少なくする必要がある。そのため、本体部に組み付けた操作ボタンが本体部から外れやすくなるという課題があった。【０００８】
また、特許文献１に開示される構造では、ダブルトーションバネを傾動アームのユニット台への固定に使用しているため、構成が全く異なり、上記操作ボタン保持構造に適用することはできない。【０００９】
この発明は、上記のような課題を解決するためになされたもので、操作ボタンをホルダに組み付けて保持する際に、操作面または軸受け部を撓ませることなく組み付けることで、操作面および軸受け部を縮小化でき、また、組み付けた操作ボタンがホルダから外れることを防止することができるボタン保持構造を提供することを目的としている。
【課題を解決するための手段】
【００１０】
この発明に係るボタン保持構造は、ホルダに保持した操作ボタンの回動支点となる軸部と、ホルダに保持した操作ボタンの可動方向と異なる方向に形成されて操作ボタンをホルダに組み付けるときに軸部が摺動する溝を有し、軸部が保持位置まで摺動すると、操作ボタンの回転支点として当該軸部を保持する軸受け溝部とを備えたものである。
【発明の効果】
【００１１】
この発明によれば、上記のように構成したので、操作ボタンをホルダに組み付けて保持する際に、操作面または軸受け部を撓ませることなく組み付けることで、操作面および軸受け部を縮小化でき、また、組み付けた操作ボタンがホルダから外れることを防止することができる。
【図面の簡単な説明】
【００１２】
【図１】この発明の実施の形態１に係るモニタ装置の構成を示す斜視図である。
【図２】この発明の実施の形態１に係るリモコン保持機構の構成を示す模式図であり、（ａ）リモコン保持状態を示す図であり、（ｂ）リモコン解放状態を示す図である。
【図３】図１に示すモニタ装置に適用されたボタン保持構造の構成を示す分解斜視図である。
【図４】この発明の実施の形態１における操作ボタンの本体部への組み付けを示す斜視図である。
【図５】この発明の実施の形態１における軸受け側軸部と軸受け溝部との係合を示すバネ側軸部側からの一部透視斜視図である。
【図６】この発明の実施の形態１における軸受け側軸部と軸受け溝部との係合を示す軸受け側軸部側からの一部透視斜視図である。
【図７】この発明の実施の形態１に係る組み付け後のボタン保持構造の構成を示す図である。
【図８】この発明の実施の形態１におけるトーションバネの別の構成を示す図である。
【図９】この発明の実施の形態１におけるリブの別の構成を示す図である。
【発明を実施するための形態】
【００１３】
以下、この発明の実施の形態について図面を参照しながら詳細に説明する。
実施の形態１．
なお以下では、ＲＳＥ等の車内の天井面に設置されるモニタ装置のリモコン保持機構４に本願発明のボタン保持構造を適用した場合について示す。
モニタ装置は、図１，２に示すように、車内の天井面に設置された本体部（ホルダ）１と、本体部１に一端側が回動自在に連結されて本体部１から開閉するモニタ部２と、モニタ装置を操作するためのリモコン３と、リモコン３を本体部１に組み付けて、使用時にはリモコン３を本体部１から露出させ、不使用時にはリモコン３を本体部１に収納するリモコン保持機構４とから構成されている。
【００１４】
リモコン保持機構４では、図２に示すように、本体部１にリモコン３を収納する収納凹部１１を有している。この収納凹部１１の一端側には、リモコン３の一端側の両側面に設けられた軸部５が連結され、リモコン３を回動自在に支持する連結部６が設けられている。また、収納凹部１１の他端側（連結部６側とは反対側）には、リモコン３との対向方向（図２の左右方向）にスライド可能であり、リモコン３の操作ボタン面３ａの他端側（軸部５側とは反対側）を支持する可動部７と、可動部７に連結され、使用者によって操作面８１が押圧されることで可動部７をスライドさせる操作ボタン８とが設けられている。
【００１５】
可動部７の一端側（リモコン３側）の両端には、収納凹部１１に収納されたリモコン３の操作ボタン面３ａを係止するように、収納凹部１１に設けられた突没孔部１２から突没する係止突起部７１が設けられている。この係止突起部７１の先端には傾斜面７１ａが設けられている。また、操作ボタン８と対向する可動部７上の面には、本体部１に設けられた挿通孔部１３を介して操作ボタン８の押圧部８６が嵌め込まれ、この押圧部８６が軸受け側軸部８３を支点に回動することでリモコン３との対向方向（図２の左右方向）に押圧される連結凹部７２が設けられている。
【００１６】
一方、図３〜７に示すように、操作ボタン８の表面には、使用者がリモコン３を使用する際に押圧するための操作面８１が設けられている。なお図３〜７に示す図は、図１，２に示すモニタ装置を上下反転させて示した図であり、また、可動部７の図示を省略している。また図５は、操作面８１の一部を取り除き、さらに、操作面８１および回動軸部８２を透視して示した図であり、図６は、操作面８１を透視して示した図である。
【００１７】
この操作ボタン８の裏面（本体部１側）の一端側の両端には、本体部１側に伸びた回動軸部８２がそれぞれ設けられている。この回動軸部８２には、左右の回動軸部８２間の内側に向かって突出し、本体部１に設けられた軸受け溝部１５に回動自在に保持される軸受け側軸部８３が設けられている。また、回動軸部８２には、左右の回動軸部８２間の外側に向かって突出し、トーションバネ９の取付部９１が回動自在に取り付けられたバネ側軸部８４が設けられている。さらに、回動軸部８２には、本体部１上面に対して略水平に突出し、操作ボタン８が軸受け側軸部８３を支点に回動した際に本体部１と当接することで操作ボタン８の回動を規制する規制部８５が設けられている。また、回動軸部８２には、可動部７の連結凹部７２に嵌め込まれ、操作ボタン８が軸受け側軸部８３を支点に回動した際に可動部７をリモコン３との対向方向に押圧する押圧部８６が設けられている。
【００１８】
また、操作ボタン８には、バネ側軸部８４に取り付けられた取付部９１を有し、押圧操作により回動した操作ボタン８が定位置に戻るように付勢するトーションバネ９が設けられている。このトーションバネ９には、図５，６に示すように、略コの字型に形成されて操作ボタン８の裏面に当接する第１の支持部９２と、軸受け側軸部８３と略直交して本体部１の上面に当接する２本の第２の支持部９３とが設けられている。そして、第１の支持部９２および第２の支持部９３によって操作ボタン８を本体部１から開くように付勢することで、押圧操作により回動した操作ボタン８を定位置に戻す。
【００１９】
一方、本体部１の収納凹部１１の他端側（可動部７側）の側壁には、係止突起部７１を突没させるための突没孔部１２が設けられている。また、本体部１の上面には、操作ボタン８の押圧部８６が挿通される挿通孔部１３が設けられている。
また、本体部１上の各挿通孔部１３の内側にはそれぞれ軸受け部１４が設けられている。図４に示すように、この軸受け部１４の外側面には、本体部１に保持した操作ボタン８の可動方向（上下）と異なる方向（左右）に形成されて操作ボタン８を本体部１に組み付けるときに軸受け側軸部８３が摺動する溝を有し、軸受け側軸部８３が保持位置１５ａまで摺動すると、操作ボタン８の回転支点として軸受け側軸部８３を保持する軸受け溝部１５が設けられている。なお、本体部１に設けられた一方の軸受け溝部１５の溝面から他方の軸受け溝部１５の溝面までの寸法は、操作ボタン８に設けられた一方の軸受け側軸部８３の先端から他方の軸受け側軸部８３の先端までの寸法と略同一寸法に設定されている。この軸受け溝部１５は、保持位置１５ａへ至るまでの溝が屈曲しており、軸受け側軸部８３が挿入される本体部１上面に対して傾斜した傾斜ガイド溝部１５１と、傾斜ガイド溝部１５１によりガイドされた軸受け側軸部８３を保持位置１５ａまでガイドする本体部１上面に沿った平坦ガイド溝部１５２とが設けられている。
【００２０】
さらに、本体部１上には、軸受け側軸部８３が保持位置１５ａまで摺動した際に、トーションバネ９の第２の支持部９３の端部９３ａと係合して軸受け側軸部８３が保持位置１５ａから離れる方向へ摺動することを規制するリブ１６が設けられている。なお図４では、リブ１６を１箇所のみ設けた場合について示しているが、トーションバネ９の左右に有する第２の支持部９３の端部９３ａに対してそれぞれリブ１６を設けてもよい。
【００２１】
次に、上記のように構成された操作ボタン８の本体部１への組み付けについて説明する。
操作ボタン８を本体部１に組み付ける際には、図４，５に示すように、まず、操作ボタン８の軸受け側軸部８３を軸受け溝部１５の挿入口１５ｂから傾斜ガイド溝部１５１に挿入する。ここで、本体部１に設けられた一方の軸受け溝部１５の溝面から他方の軸受け溝部１５の溝面までの寸法は、操作ボタン８に設けられた一方の軸受け側軸部８３の先端から他方の軸受け側軸部８３の先端までの寸法と略同一寸法に設定されてため、軸受け側軸部８３を傾斜ガイド溝部１５１に挿入する際に、従来のように操作面８１または軸受け部１４を撓ませる必要はない。したがって、操作面８１および軸受け部１４を縮小化することができ、また、軸受け側軸部８３と軸受け溝部１５との掛かり量を十分に得ることができる。
【００２２】
そして、軸受け側軸部８３を傾斜ガイド溝部１５１に沿って斜め下方向にスライドさせる。ここで、傾斜ガイド溝部１５１は平坦ガイド溝部１５２の溝形成方向に対して傾斜して形成されている。そのため、操作ボタン８をスムーズに挿入することができるとともに、組み付けられた操作ボタン８が本体部１から外れることを抑制することができる。
その後、図６，７に示すように、軸受け側軸部８３を平坦ガイド溝部１５２までスライドさせて保持位置１５ａで保持させる。この際、第２の支持部９３の端部９３ａがリブ１６と係合し、操作ボタン８が軸受け溝部１５とリブ１６とによって挟み込まれ、操作ボタン８の抜け方向（図７の左方向）へのスライドが規制される。また、押圧部８６は、本体部１の挿通孔部１３を介して可動部７の連結凹部７２に係合される。
【００２３】
次に、上記のようにして構成されたリモコン保持機構４の動作について説明する。
リモコン３を使用する際には、図２（ａ）に示すように、使用者は操作ボタン８の操作面８１を押圧する。これにより、操作ボタン８が軸受け側軸部８３を支点に本体部１側に回動する。そして、操作ボタン８の回動に伴って回動軸部８２も回動し、押圧部８６および連結凹部７２を介して可動部７をリモコン３の係止を解除する方向にスライドさせる。これにより、図２（ｂ）に示すように、係止突起部７１が突没孔部１２に没入されてリモコン３の他端側の係止が解除され、リモコン３が軸部５を支点に開方向に回動して本体部１から露出する。
【００２４】
また、リモコン３を収納する際には、まず、使用者は操作ボタン８の操作面８１を押圧して、係止突起部７１を突没孔部１２に没入させる。そして、この状態のまま、リモコン３を収納凹部１１に収納する。その後、操作ボタン８に対する押圧操作を解除することによって、操作ボタン８は、トーションバネ９の付勢で押圧方向とは反対方向に回動して定位置に戻る。この操作ボタン８の回動に伴って回動軸部８２も回動し、係止突起部７１が突没孔部１２から突出される。これにより、図２（ａ）に示すように、係止突起部７１がリモコン３の操作ボタン面３ａを係止し、リモコン３を収納保持する。
【００２５】
あるいは、使用者は、単に、リモコン３を収納凹部１１に収納するだけでもよい。この場合、係止突起部７１は突没孔部１２から突出した状態のままであり、リモコン３を閉方向（収納凹部１１側）に回動させると、リモコン３の裏面（収納凹部１１側）が係止突起部７１の傾斜面７１ａと当接する。そして、さらにリモコン３を閉方向に回動させると、傾斜面７１ａによって、リモコン３の回動力が可動部７に対する押圧力に変換される。これにより、係止突起部７１を突没孔部１２にスムーズに没入させることができる。またこの際、可動部７のスライドに伴って操作ボタン８も回動する。その後、リモコン３が収納凹部１１に収納されると、リモコン３による可動部３に対する押圧が解除される。そのため、トーションバネ９による付勢によって操作ボタン８が定位置に戻り、係止突起部７１が突没孔部１２から突出することで、リモコン３を収納保持することができる。
【００２６】
以上のように、この実施の形態１によれば、操作ボタン８を本体部１に組み付けるときに軸受け側軸部８３が摺動する溝を有し、軸受け側軸部８３が保持位置１５ａまで摺動すると、操作ボタン８の回転支点として軸受け軸部８３を保持する軸受け溝部１５を設けたので、操作ボタン８を本体部１に組み付けて保持する際に、操作面８１または軸受け部１４を撓ませることなく組みつけることができ、操作ボタン８および軸受け部１４を縮小化させることができる。また、軸受け側軸部８３と軸受け溝部１５との掛かり量を大きく設定することができるため、組み付けた操作ボタン８が本体部１から外れることを防止することができる。また、部品への余計な負荷をかけることがないため、部品の破損も低減することができる。
【００２７】
なお、実施の形態１では、トーションバネ９の第２の支持部９３の端部９３ａをリブ１６に係合させることで、操作ボタン８が抜け方向にスライドすることを規制するように構成したが、これに限るものではなく、図８に示すように、第２の支持部９３に回動軸部８２間に沿った曲げ部９３ｂを設け、この曲げ部９３ｂをリブ１６に係合させるようにしてもよい。なお図８では、リブ１６を幅広に形成している。
また、図９に示すように、リブ１６の上端に、トーションバネ９の端部９３ａを係止して、操作ボタン８の浮き上がりを規制する突起部１６ａを設けるようにしてもよい。これにより、操作ボタン８に対する本体部１からの抜け防止機能をより高めることができる。
【００２８】
また、実施の形態１では、操作ボタン８に軸受け側軸部８３を設け、本体部１に軸受け側軸部８３を保持する軸受け溝部１５を設けた場合について示したが、本体部１に軸部を設け、操作ボタン８にこの軸部を保持する溝部を設けるようにしてもよい。
また、実施の形態１では、モニタ装置のリモコン３を保持するリモコン保持機構４に本願発明のボタン保持構造を適用した場合について示したが、これに限るものではなく、ホルダに回動自在に保持された操作ボタンと、押圧操作により回動した操作ボタンが定位置に戻るように付勢するバネとを備えたものであれば同様に適用可能である。
また、本願発明はその発明の範囲内において、実施の形態の任意の構成要素の変形、もしくは実施の形態の任意の構成要素の省略が可能である。
【産業上の利用可能性】
【００２９】
この発明に係るボタン保持構造は、操作ボタンをホルダに組み付けて保持する際に、操作面または軸受け部を撓ませることなく組みつけることで、操作面および軸受け部を縮小化でき、組み付けた操作ボタンがホルダから外れることを防止することができ、ホルダに回動自在に保持された操作ボタンと、押圧操作により回動した操作ボタンが定位置に戻るように付勢するバネとを備えたボタン保持構造等に用いるのに適している。
【符号の説明】
【００３０】
１  本体部（ホルダ）、２  モニタ部、３  リモコン、３ａ  操作ボタン面、４  リモコン保持機構、５  軸部、６  連結部、７  可動部、８  操作ボタン、９  トーションバネ、１１  収納凹部、１２  突没孔部、１３  挿通孔部、１４  軸受け部、１５  軸受け溝部、１５ａ  保持位置、１５ｂ  挿入口、１６  リブ、１６ａ  突起部、７１  係止突起部、７１ａ  傾斜面、７２  連結凹部、８１  操作面、８２  回動軸部、８３  軸受け側軸部、８４  バネ側軸部、８５  規制部、８６  押圧部、９１  取付部、９２  第１の支持部、９３  第２の支持部、９３ａ  端部、９３ｂ  曲げ部、１５１  傾斜ガイド溝部、１５２  平坦ガイド溝部。
【図１】
2012164623.tif 000003
【図２】
2012164623.tif 000004
【図３】
2012164623.tif 000005
【図４】
2012164623.tif 000006
【図５】
2012164623.tif 000007
【図６】
2012164623.tif 000008
【図７】
2012164623.tif 000009
【図８】
2012164623.tif 000010
【図９】
2012164623.tif 000011
【手続補正書】
【提出日】平成25年4月16日(2013.4.16)
【手続補正１】
【補正対象書類名】明細書
【補正対象項目名】全文
【補正方法】変更
【補正の内容】
【発明の詳細な説明】
【技術分野】
【０００１】
この発明は、ホルダに回動自在に保持された操作ボタンと、押圧操作により回動した操作ボタンが定位置に戻るように付勢するバネとを備えたボタン保持構造に関するものである。
【背景技術】
【０００２】
ＲＳＥ（リアシートエンターテイメント）等のように車内の天井面に設置されるモニタ装置には、装置を操作するためのリモコン（リモートコントロール）が備えられている。
ここで、ＲＳＥ等のモニタ装置では、リモコンがモニタ装置の操作パネルそのものを兼ねる場合があり、リモコンを紛失した場合にはモニタ装置を操作できなくなってしまう。そのため、このようなモニタ装置では、リモコンを本体部（ホルダ）に組み付けて、使用時にはリモコンを本体部から露出させ、不使用時にはリモコンを本体部に収納するリモコン保持機構が採用されている。
【０００３】
このリモコン保持機構では、本体部に、リモコンを収納する収納凹部を有している。この収納凹部の一端側には、リモコンの一端側が回動自在に連結されている。また、収納凹部の他端側には、リモコンの他端側を係止するように収納凹部の側壁から突没する係止突起部を有する可動部が設けられている。この可動部は、本体部に組み付けられた操作ボタンと連結されている。
操作ボタンの表面には、使用者がリモコンを使用する際に押圧する操作面が設けられている。また、操作ボタンの裏面（本体部側）の一端側（収納凹部側とは反対側）の両端には、回動軸部が設けられている。この回動軸部には、本体部の軸受け部に設けられた軸受け穴に嵌め込まれて保持される軸受け側軸部が設けられている。また、回動軸部の端部には、可動部と連結し、操作面の押圧によって可動部をリモコン係止を解除する方向にスライドさせる押圧部が設けられている。また、操作ボタンには、押圧操作により回動した操作ボタンが定位置に戻るように付勢するバネが取り付けられている。
【０００４】
このように構成されたリモコン保持機構において、リモコンを使用する際には、使用者は操作面を押圧する。これにより、操作ボタンが軸受け側軸部を支点に本体部側に回動する。そして、操作ボタンの回動に伴って押圧部も回動し、可動部をリモコン係止を解除する方向にスライドさせる。これにより、係止突起部が収納凹部の側壁に没入されてリモコンの係止が解除され、リモコンが一端側を支点に開方向に回動して本体部から露出する。
なお、操作ボタンに対する押圧操作が解除された場合には、バネによって操作ボタンが定位置に戻るように付勢されて回動する。この操作ボタンの回動に伴って押圧部も回動し、係止突起部が収納凹部の側壁から突出される。
【０００５】
また、ホルダに回動自在に保持された操作ボタンと、押圧操作により回動した操作ボタンが定位置に戻るように付勢するバネとを備えたボタン保持構造の別の例としては、特許文献１に開示されるような構造が存在する。この構造では、ダブルトーションバネを使用してユニット台（本体部に相当）に固定された傾動アーム（操作ボタンに相当）を付勢している。
【先行技術文献】
【特許文献】
【０００６】
【特許文献１】特開２０１０−４５８８２号公報
【発明の概要】
【発明が解決しようとする課題】
【０００７】
しかしながら、操作ボタンに設けられた一方の軸受け側軸部の先端から他方の軸受け側軸部の先端までの寸法は、本体部に設けられた一方の軸受け部の外側面から他方の軸受け部の外壁面までの寸法より狭い。そのため、操作ボタンを本体部に組み付ける際には、軸受け側軸部が軸受け部を乗り越えることができるように、操作面または軸受け部を撓ませた状態で操作ボタンを軸受け部側にスライドさせて軸受け側軸部を軸受け穴に係合させる必要がある。そのため、組み付けに必要な撓み量を得るため、撓ませる部分（操作面または軸受け部）に相当の長さが必要になり、スペースの確保が困難であるという課題があった。また、撓ませる部分に相当の長さを確保できない場合には、撓み量が少なくなるため、その分、軸受け側軸部と軸受け穴との掛かり量を少なくする必要がある。そのため、本体部に組み付けた操作ボタンが本体部から外れやすくなるという課題があった。
【０００８】
また、特許文献１に開示される構造では、ダブルトーションバネを傾動アームのユニット台への固定に使用しているため、構成が全く異なり、上記操作ボタン保持構造に適用することはできない。
【０００９】
この発明は、上記のような課題を解決するためになされたもので、操作ボタンをホルダに組み付けて保持する際に、操作面または軸受け部を撓ませることなく組み付けることで、操作面および軸受け部を縮小化でき、また、組み付けた操作ボタンがホルダから外れることを防止することができるボタン保持構造を提供することを目的としている。
【課題を解決するための手段】
【００１０】
この発明に係るボタン保持構造は、ホルダに保持した操作ボタンの回動支点となる軸部と、ホルダに保持した操作ボタンの可動方向と異なる方向に形成されて操作ボタンをホルダに組み付けるときに軸部が摺動する溝を有し、軸部が保持位置まで摺動すると、操作ボタンの回転支点として当該軸部を保持する軸受け溝部と、軸部が保持位置まで摺動すると、バネの端部と係合して軸部が保持位置から離れる方向へ摺動することを規制するリブとを備えたものである。
【発明の効果】
【００１１】
この発明によれば、上記のように構成したので、操作ボタンをホルダに組み付けて保持する際に、操作面または軸受け部を撓ませることなく組み付けることで、操作面および軸受け部を縮小化でき、また、組み付けた操作ボタンがホルダから外れることを防止することができる。
【図面の簡単な説明】
【００１２】
【図１】この発明の実施の形態１に係るモニタ装置の構成を示す斜視図である。
【図２】この発明の実施の形態１に係るリモコン保持機構の構成を示す模式図であり、（ａ）リモコン保持状態を示す図であり、（ｂ）リモコン解放状態を示す図である。
【図３】図１に示すモニタ装置に適用されたボタン保持構造の構成を示す分解斜視図である。
【図４】この発明の実施の形態１における操作ボタンの本体部への組み付けを示す斜視図である。
【図５】この発明の実施の形態１における軸受け側軸部と軸受け溝部との係合を示すバネ側軸部側からの一部透視斜視図である。
【図６】この発明の実施の形態１における軸受け側軸部と軸受け溝部との係合を示す軸受け側軸部側からの一部透視斜視図である。
【図７】この発明の実施の形態１に係る組み付け後のボタン保持構造の構成を示す図である。
【図８】この発明の実施の形態１におけるトーションバネの別の構成を示す図である。
【図９】この発明の実施の形態１におけるリブの別の構成を示す図である。
【発明を実施するための形態】
【００１３】
以下、この発明の実施の形態について図面を参照しながら詳細に説明する。
実施の形態１．
なお以下では、ＲＳＥ等の車内の天井面に設置されるモニタ装置のリモコン保持機構４に本願発明のボタン保持構造を適用した場合について示す。
モニタ装置は、図１，２に示すように、車内の天井面に設置された本体部（ホルダ）１と、本体部１に一端側が回動自在に連結されて本体部１から開閉するモニタ部２と、モニタ装置を操作するためのリモコン３と、リモコン３を本体部１に組み付けて、使用時にはリモコン３を本体部１から露出させ、不使用時にはリモコン３を本体部１に収納するリモコン保持機構４とから構成されている。
【００１４】
リモコン保持機構４では、図２に示すように、本体部１にリモコン３を収納する収納凹部１１を有している。この収納凹部１１の一端側には、リモコン３の一端側の両側面に設けられた軸部５が連結され、リモコン３を回動自在に支持する連結部６が設けられている。また、収納凹部１１の他端側（連結部６側とは反対側）には、リモコン３との対向方向（図２の左右方向）にスライド可能であり、リモコン３の操作ボタン面３ａの他端側（軸部５側とは反対側）を支持する可動部７と、可動部７に連結され、使用者によって操作面８１が押圧されることで可動部７をスライドさせる操作ボタン８とが設けられている。
【００１５】
可動部７の一端側（リモコン３側）の両端には、収納凹部１１に収納されたリモコン３の操作ボタン面３ａを係止するように、収納凹部１１に設けられた突没孔部１２から突没する係止突起部７１が設けられている。この係止突起部７１の先端には傾斜面７１ａが設けられている。また、操作ボタン８と対向する可動部７上の面には、本体部１に設けられた挿通孔部１３を介して操作ボタン８の押圧部８６が嵌め込まれ、この押圧部８６が軸受け側軸部８３を支点に回動することでリモコン３との対向方向（図２の左右方向）に押圧される連結凹部７２が設けられている。
【００１６】
一方、図３〜７に示すように、操作ボタン８の表面には、使用者がリモコン３を使用する際に押圧するための操作面８１が設けられている。なお図３〜７に示す図は、図１，２に示すモニタ装置を上下反転させて示した図であり、また、可動部７の図示を省略している。また図５は、操作面８１の一部を取り除き、さらに、操作面８１および回動軸部８２を透視して示した図であり、図６は、操作面８１を透視して示した図である。
【００１７】
この操作ボタン８の裏面（本体部１側）の一端側の両端には、本体部１側に伸びた回動軸部８２がそれぞれ設けられている。この回動軸部８２には、左右の回動軸部８２間の内側に向かって突出し、本体部１に設けられた軸受け溝部１５に回動自在に保持される軸受け側軸部８３が設けられている。また、回動軸部８２には、左右の回動軸部８２間の外側に向かって突出し、トーションバネ９の取付部９１が回動自在に取り付けられたバネ側軸部８４が設けられている。さらに、回動軸部８２には、本体部１上面に対して略水平に突出し、操作ボタン８が軸受け側軸部８３を支点に回動した際に本体部１と当接することで操作ボタン８の回動を規制する規制部８５が設けられている。また、回動軸部８２には、可動部７の連結凹部７２に嵌め込まれ、操作ボタン８が軸受け側軸部８３を支点に回動した際に可動部７をリモコン３との対向方向に押圧する押圧部８６が設けられている。
【００１８】
また、操作ボタン８には、バネ側軸部８４に取り付けられた取付部９１を有し、押圧操作により回動した操作ボタン８が定位置に戻るように付勢するトーションバネ９が設けられている。このトーションバネ９には、図５，６に示すように、略コの字型に形成されて操作ボタン８の裏面に当接する第１の支持部９２と、軸受け側軸部８３と略直交して本体部１の上面に当接する２本の第２の支持部９３とが設けられている。そして、第１の支持部９２および第２の支持部９３によって操作ボタン８を本体部１から開くように付勢することで、押圧操作により回動した操作ボタン８を定位置に戻す。
【００１９】
一方、本体部１の収納凹部１１の他端側（可動部７側）の側壁には、係止突起部７１を突没させるための突没孔部１２が設けられている。また、本体部１の上面には、操作ボタン８の押圧部８６が挿通される挿通孔部１３が設けられている。
また、本体部１上の各挿通孔部１３の内側にはそれぞれ軸受け部１４が設けられている。図４に示すように、この軸受け部１４の外側面には、本体部１に保持した操作ボタン８の可動方向（上下）と異なる方向（左右）に形成されて操作ボタン８を本体部１に組み付けるときに軸受け側軸部８３が摺動する溝を有し、軸受け側軸部８３が保持位置１５ａまで摺動すると、操作ボタン８の回転支点として軸受け側軸部８３を保持する軸受け溝部１５が設けられている。なお、本体部１に設けられた一方の軸受け溝部１５の溝面から他方の軸受け溝部１５の溝面までの寸法は、操作ボタン８に設けられた一方の軸受け側軸部８３の先端から他方の軸受け側軸部８３の先端までの寸法と略同一寸法に設定されている。この軸受け溝部１５は、保持位置１５ａへ至るまでの溝が屈曲しており、軸受け側軸部８３が挿入される本体部１上面に対して傾斜した傾斜ガイド溝部１５１と、傾斜ガイド溝部１５１によりガイドされた軸受け側軸部８３を保持位置１５ａまでガイドする本体部１上面に沿った平坦ガイド溝部１５２とが設けられている。
【００２０】
さらに、本体部１上には、軸受け側軸部８３が保持位置１５ａまで摺動した際に、トーションバネ９の第２の支持部９３の端部９３ａと係合して軸受け側軸部８３が保持位置１５ａから離れる方向へ摺動することを規制するリブ１６が設けられている。なお図４では、リブ１６を１箇所のみ設けた場合について示しているが、トーションバネ９の左右に有する第２の支持部９３の端部９３ａに対してそれぞれリブ１６を設けてもよい。
【００２１】
次に、上記のように構成された操作ボタン８の本体部１への組み付けについて説明する。
操作ボタン８を本体部１に組み付ける際には、図４，５に示すように、まず、操作ボタン８の軸受け側軸部８３を軸受け溝部１５の挿入口１５ｂから傾斜ガイド溝部１５１に挿入する。ここで、本体部１に設けられた一方の軸受け溝部１５の溝面から他方の軸受け溝部１５の溝面までの寸法は、操作ボタン８に設けられた一方の軸受け側軸部８３の先端から他方の軸受け側軸部８３の先端までの寸法と略同一寸法に設定されてため、軸受け側軸部８３を傾斜ガイド溝部１５１に挿入する際に、従来のように操作面８１または軸受け部１４を撓ませる必要はない。したがって、操作面８１および軸受け部１４を縮小化することができ、また、軸受け側軸部８３と軸受け溝部１５との掛かり量を十分に得ることができる。
【００２２】
そして、軸受け側軸部８３を傾斜ガイド溝部１５１に沿って斜め下方向にスライドさせる。ここで、傾斜ガイド溝部１５１は平坦ガイド溝部１５２の溝形成方向に対して傾斜して形成されている。そのため、操作ボタン８をスムーズに挿入することができるとともに、組み付けられた操作ボタン８が本体部１から外れることを抑制することができる。
その後、図６，７に示すように、軸受け側軸部８３を平坦ガイド溝部１５２までスライドさせて保持位置１５ａで保持させる。この際、第２の支持部９３の端部９３ａがリブ１６と係合し、操作ボタン８が軸受け溝部１５とリブ１６とによって挟み込まれ、操作ボタン８の抜け方向（図７の左方向）へのスライドが規制される。また、押圧部８６は、本体部１の挿通孔部１３を介して可動部７の連結凹部７２に係合される。
【００２３】
次に、上記のようにして構成されたリモコン保持機構４の動作について説明する。
リモコン３を使用する際には、図２（ａ）に示すように、使用者は操作ボタン８の操作面８１を押圧する。これにより、操作ボタン８が軸受け側軸部８３を支点に本体部１側に回動する。そして、操作ボタン８の回動に伴って回動軸部８２も回動し、押圧部８６および連結凹部７２を介して可動部７をリモコン３の係止を解除する方向にスライドさせる。これにより、図２（ｂ）に示すように、係止突起部７１が突没孔部１２に没入されてリモコン３の他端側の係止が解除され、リモコン３が軸部５を支点に開方向に回動して本体部１から露出する。
【００２４】
また、リモコン３を収納する際には、まず、使用者は操作ボタン８の操作面８１を押圧して、係止突起部７１を突没孔部１２に没入させる。そして、この状態のまま、リモコン３を収納凹部１１に収納する。その後、操作ボタン８に対する押圧操作を解除することによって、操作ボタン８は、トーションバネ９の付勢で押圧方向とは反対方向に回動して定位置に戻る。この操作ボタン８の回動に伴って回動軸部８２も回動し、係止突起部７１が突没孔部１２から突出される。これにより、図２（ａ）に示すように、係止突起部７１がリモコン３の操作ボタン面３ａを係止し、リモコン３を収納保持する。
【００２５】
あるいは、使用者は、単に、リモコン３を収納凹部１１に収納するだけでもよい。この場合、係止突起部７１は突没孔部１２から突出した状態のままであり、リモコン３を閉方向（収納凹部１１側）に回動させると、リモコン３の裏面（収納凹部１１側）が係止突起部７１の傾斜面７１ａと当接する。そして、さらにリモコン３を閉方向に回動させると、傾斜面７１ａによって、リモコン３の回動力が可動部７に対する押圧力に変換される。これにより、係止突起部７１を突没孔部１２にスムーズに没入させることができる。またこの際、可動部７のスライドに伴って操作ボタン８も回動する。その後、リモコン３が収納凹部１１に収納されると、リモコン３による可動部３に対する押圧が解除される。そのため、トーションバネ９による付勢によって操作ボタン８が定位置に戻り、係止突起部７１が突没孔部１２から突出することで、リモコン３を収納保持することができる。
【００２６】
以上のように、この実施の形態１によれば、操作ボタン８を本体部１に組み付けるときに軸受け側軸部８３が摺動する溝を有し、軸受け側軸部８３が保持位置１５ａまで摺動すると、操作ボタン８の回転支点として軸受け軸部８３を保持する軸受け溝部１５を設けたので、操作ボタン８を本体部１に組み付けて保持する際に、操作面８１または軸受け部１４を撓ませることなく組みつけることができ、操作ボタン８および軸受け部１４を縮小化させることができる。また、軸受け側軸部８３と軸受け溝部１５との掛かり量を大きく設定することができるため、組み付けた操作ボタン８が本体部１から外れることを防止することができる。また、部品への余計な負荷をかけることがないため、部品の破損も低減することができる。
【００２７】
なお、実施の形態１では、トーションバネ９の第２の支持部９３の端部９３ａをリブ１６に係合させることで、操作ボタン８が抜け方向にスライドすることを規制するように構成したが、これに限るものではなく、図８に示すように、第２の支持部９３に回動軸部８２間に沿った曲げ部９３ｂを設け、この曲げ部９３ｂをリブ１６に係合させるようにしてもよい。なお図８では、リブ１６を幅広に形成している。
また、図９に示すように、リブ１６の上端に、トーションバネ９の端部９３ａを係止して、操作ボタン８の浮き上がりを規制する突起部１６ａを設けるようにしてもよい。これにより、操作ボタン８に対する本体部１からの抜け防止機能をより高めることができる。
【００２８】
また、実施の形態１では、操作ボタン８に軸受け側軸部８３を設け、本体部１に軸受け側軸部８３を保持する軸受け溝部１５を設けた場合について示したが、本体部１に軸部を設け、操作ボタン８にこの軸部を保持する溝部を設けるようにしてもよい。
また、実施の形態１では、モニタ装置のリモコン３を保持するリモコン保持機構４に本願発明のボタン保持構造を適用した場合について示したが、これに限るものではなく、ホルダに回動自在に保持された操作ボタンと、押圧操作により回動した操作ボタンが定位置に戻るように付勢するバネとを備えたものであれば同様に適用可能である。
また、本願発明はその発明の範囲内において、実施の形態の任意の構成要素の変形、もしくは実施の形態の任意の構成要素の省略が可能である。
【符号の説明】
【００２９】
１  本体部（ホルダ）、２  モニタ部、３  リモコン、３ａ  操作ボタン面、４  リモコン保持機構、５  軸部、６  連結部、７  可動部、８  操作ボタン、９  トーションバネ、１１  収納凹部、１２  突没孔部、１３  挿通孔部、１４  軸受け部、１５  軸受け溝部、１５ａ  保持位置、１５ｂ  挿入口、１６  リブ、１６ａ  突起部、７１  係止突起部、７１ａ  傾斜面、７２  連結凹部、８１  操作面、８２  回動軸部、８３  軸受け側軸部、８４  バネ側軸部、８５  規制部、８６  押圧部、９１  取付部、９２  第１の支持部、９３  第２の支持部、９３ａ  端部、９３ｂ  曲げ部、１５１  傾斜ガイド溝部、１５２  平坦ガイド溝部。
【手続補正２】
【補正対象書類名】特許請求の範囲
【補正対象項目名】全文
【補正方法】変更
【補正の内容】
【特許請求の範囲】
【請求項１】
ホルダに回動自在に保持された操作ボタンと、押圧操作により回動した前記操作ボタンが定位置に戻るように付勢するバネとを備えたボタン保持構造において、
前記ホルダに保持した前記操作ボタンの回動支点となる軸部と、
前記ホルダに保持した前記操作ボタンの可動方向と異なる方向に形成されて前記操作ボタンを前記ホルダに組み付けるときに前記軸部が摺動する溝を有し、前記軸部が保持位置まで摺動すると、前記操作ボタンの回転支点として当該軸部を保持する軸受け溝部と、
前記軸部が前記保持位置まで摺動すると、前記バネの端部と係合して前記軸部が前記保持位置から離れる方向へ摺動することを規制するリブとを備えた
ことを特徴とするボタン保持構造。
【請求項２】
前記軸受け溝部は、前記保持位置へ至るまでの溝が屈曲していることを特徴とする請求項１記載のボタン保持構造。
【国際調査報告】
2012164623.tif 000012
2012164623.tif 000013
2012164623.tif 000014
2012164623.tif 000015
2012164623.tif 000016
2012164623.tif 000017